(57)【要約】光ディスク上に記録済みのＪＰＥＧファイルに対して付加情報を短時間で追加可能にするとともに、付加情報の追加後でも、画像の表示速度が低下しない映像記録再生装置および方法を提供する。検索情報（アプリケーションデータ：ＡＰＰ４）をスキップするためのアドレス情報（オフセット値）を、検索情報より位置が前になるように、ＡＰＰ５マーカセグメントに予め記録し、静止画表示時は、そのアドレス情報を参照して、検索情報の読み出しをせずに、直接圧縮データの読み出しを行う。
2002023898.tif 000002
【特許請求の範囲】
【請求項１】
映像情報に関する付加情報を含むヘッダ情報を生成するヘッダ組立手段と、
少なくとも前記ヘッダ情報と前記映像情報とを１組として記録する記録手段とを備え、
前記ヘッダ情報は、特定の付加情報間の距離情報を含むことを特徴とする映像記録再生装置。
【請求項２】
前記映像情報はＪＰＥＧ圧縮データであり、前記付加情報はマーカセグメントであることを特徴とする請求項１記載の映像記録再生装置。
【請求項３】
前記ヘッダ組立手段は、所望の付加情報を追加するに際し、前記所望の付加情報のデータサイズを加えた新たな距離情報を含む付加情報を生成することを特徴とする請求項１記載の映像記録再生装置。
【請求項４】
映像情報に関する付加情報を含むヘッダ情報を生成するヘッダ組立工程と、
少なくとも前記ヘッダ情報と前記映像情報とを１組として記録する記録工程とを備え、
前記ヘッダ情報は、特定の付加情報間の距離情報を含むことを特徴とする映像記録再生方法。
【請求項５】
前記映像情報はＪＰＥＧ圧縮データであり、前記付加情報はマーカセグメントであることを特徴とする請求項４記載の映像記録再生方法。
【請求項６】
前記ヘッダ組立工程において、所望の付加情報を追加するに際し、前記所望の付加情報のデータサイズを加えた新たな距離情報を含むヘッダ情報を生成することを特徴とする請求項４記載の映像記録再生方法。
【請求項７】
少なくとも映像情報と、前記映像情報に関する付加情報を含むヘッダ情報とが１組として記録されたディスクであって、
前記ヘッダ情報は、前記ヘッダ情報内の特定の付加情報間の距離情報を含むことを特徴とするディスク。
【請求項８】
前記映像情報はＪＰＥＧ圧縮データであり、前記付加情報はマーカセグメントであることを特徴とする請求項７記載のディスク。
【請求項９】
映像情報と、前記映像情報に関する付加情報を含むヘッダ情報とを記憶する記録媒体を用いた映像記録再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像記録再生装置。
【請求項１０】
ＤＣＦ基本ファイルを記録する記録手段を備え、
前記記録手段は、Ｅｘｉｆ付属情報を含むＡＰＰ１マーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする映像記録再生装置。
【請求項１１】
ＤＣＦ基本ファイルを記録する記録手段を備え、
前記記録手段は、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする映像記録再生装置。
【請求項１２】
映像情報に関する付加情報を含むヘッダ情報を生成するヘッダ組立手段と、
少なくとも前記ヘッダ情報と前記映像情報とを１組として記録する記録手段と、
前記ヘッダ情報に関連した距離情報を記録する距離情報記録手段とを備え、
前記距離情報記録手段は、前記ヘッダ情報内の特定の付加情報間の距離情報を記録することを特徴とする映像記録再生装置。
【請求項１３】
映像情報、前記映像情報に関する付加情報を含むヘッダ情報および特定の前記付加情報間の距離情報を記憶する記録媒体を用いた映像記録再生装置であって、
映像情報の表示に必要な付加情報を取得するために前記ヘッダ情報を解析するヘッダ情報解析手段を備え、
前記ヘッダ情報解析手段は、前記距離情報を参照して関連する付加情報の解析をスキップすることを特徴とする映像記録再生装置。
【請求項１４】
ＪＰＥＧ圧縮データに関するＪＰＥＧヘッダデータを記録するヘッダ組立手段と、
少なくとも前記ＪＰＥＧ圧縮データと前記ＪＰＥＧヘッダデータとを組として記録する記録手段とを備え、
前記記録手段は、複数の前記組に渡ってＪＰＥＧヘッダデータに含まれるＥｘｉｆ付属情報およびＳＯＦマーカセグメントを記録媒体上の特定の領域にまとめて記録することを特徴とする映像記録再生装置。
【請求項１５】
ＪＰＥＧ圧縮データとＪＰＥＧヘッダデータとの組を記憶する記録媒体を用いた映像記録再生装置であって、
複数の組に渡って前記ＪＰＥＧヘッダデータに含まれる付加情報を検索する検索手段を備え、
前記記録媒体は、複数の前記組に渡って前記付加情報であるＥｘｉｆ付属情報およびＳＯＦマーカセグメントを記録媒体上の特定の領域にまとめて記憶し、
前記検索手段は、記録媒体上のＥｘｉｆ付属情報およびＳＯＦマーカセグメントをまとめて読出し検索することを特徴とする映像記録再生装置。
【請求項１６】
映像情報に関する付加情報を含むヘッダ情報を生成するヘッダ組立手段と、
前記ヘッダ情報と前記映像情報をＵＤＦファイルとして記録する記録手段とを備え、
前記記録手段は、前記ＵＤＦファイルに対応するファイルエントリと前記ヘッダ情報の一部または全部とを続けて記録することを特徴とする映像記録再生装置。
【請求項１７】
前記記録手段はさらにファイルエントリとヘッダ情報の一部または全部の組を複数のＵＤＦファイルに渡って記録媒体上の特定の領域にまとめて記録することを特徴とする請求項１６記載の映像記録再生装置。
【請求項１８】
前記映像情報はＪＰＥＧ圧縮データであり、前記ヘッダ情報はＪＰＥＧヘッダデータであり、前記記録手段は、前記ＵＤＦファイルに対応するファイルエントリと、前記ＪＰＥＧヘッダに含まれるＥｘｉｆ付属情報とを続けて記録することを特徴とする請求項１６記載の映像記録再生装置。
【請求項１９】
前記記録手段は、さらにＳＯＦマーカセグメントおよび／または特定のマーカセグメント間の距離情報を続けて記録することを特徴とする請求項１８記載の映像記録再生装置。
【請求項２０】
映像情報と前記映像情報に対する縮小画像を含むヘッダ情報との組をＵＤＦファイルとして記憶する記録媒体を用いた映像記録再生装置であって、
前記ヘッダ情報を解析して縮小画像を表示する縮小画像表示手段を備え、
前記記録媒体は、前記ＵＤＦファイルに対応するファイルエントリと前記ヘッダ情報の一部または全部とを続けて記憶し、
前記縮小画像表示手段は、前記ファイルエントリと前記ヘッダ情報を一度に読出し解析して表示を行うことを特徴とする映像記録再生装置。
【請求項２１】
ＤＣＦ基本ファイルを記録する記録手段を備え、
前記記録手段は、ＤＣＦ基本ファイルに対応するファイルエントリと、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを続けて記録媒体上の第１領域に記録し、ＤＣＦ基本主画像映像を前記記録媒体上の第２領域に記録することを特徴とする映像記録再生装置。
【請求項２２】
複数のマーカセグメントから構成されるＪＰＥＧファイルを記憶する記録手段を備え、前記記録手段は記録媒体の記録単位の境界と特定のマーカセグメントの記録開始位置が一致する様にＪＰＥＧファイルを記憶することを特徴とする映像記録再生装置。
【請求項２３】
複数のマーカセグメントから構成されるＪＰＥＧファイルを記憶する記録媒体を用いた映像記録再生装置であって、
ＪＰＥＧファイルの途中に所望のマーカセグメントを追加する追加記録手段を備え、
前記記録媒体は、記録単位の境界と特定のマーカセグメントの記録開始位置が一致するようにＪＰＥＧファイルを記憶し、
前記追加記録手段は、所望のマーカセグメントを追加記録し、さらに前記特定のマーカセグメントの前に前記所望のマーカセグメントが配置されるように前記記録単位の参照順を調整することを特徴とする映像記録再生装置。
【請求項２４】
前記特定のマーカセグメントはＳＯＦマーカセグメント、ＤＨＴマーカセグメント、またはＤＱＴマーカセグメントであることを特徴とする請求項２２または２３記載の映像記録再生装置。
【請求項２５】
ＤＣＦ基本ファイルを記録する記録手段を備え、
前記記録手段は、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生装置。
【請求項２６】
ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、その他のマーカセグメントと、ＤＣＦ基本主画像映像とを前記記録媒体上の第２領域に記憶する記録媒体を用いた映像記録再生装置であって、
ＤＣＦ基本主画像を表示する映像表示手段と、
前記ＤＣＦ基本主画像の先頭位置を検出するために順次マーカセグメントを解析するヘッダ情報解析手段とを備え、
前記ヘッダ情報解析手段は前記距離情報を参照して関連するマーカセグメントの解析をスキップすることを特徴とする映像記録再生装置。
【請求項２７】
ＤＣＦ基本ファイルを記録媒体に記録する記録手段を備え、
前記記録手段は、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生装置。
【請求項２８】
映像情報と、前記映像情報に関する付加情報を含むヘッダ情報とが記憶された記録媒体を用いた映像再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像再生装置。
【請求項２９】
映像情報と前記映像情報に対する縮小画像を含むヘッダ情報との組がＵＤＦファイルとして記憶された記録媒体を用いた映像再生装置であって、
前記ヘッダ情報を解析して縮小画像を表示する縮小画像表示手段を備え、
前記記録媒体には、前記ＵＤＦファイルに対応するファイルエントリと前記ヘッダ情報の一部または全部とが続けて記憶されており、
前記縮小画像表示手段は、前記ファイルエントリと前記ヘッダ情報を一度に読出し解析して表示を行うことを特徴とする映像再生装置。
【請求項３０】
複数の情報要素から構成される画像ファイルを記憶する記憶手段を備え、前記記憶手段は、記録媒体の記録単位の境界と前記画像ファイルの途中の情報要素の記録開始位置が一致するように、前記画像ファイルを記憶することを特徴とする映像記録再生装置。
【請求項３１】
ＤＣＦ基本ファイルを記録する記録手段を備え、
前記記録手段は、Ｅｘｉｆ付属情報を含むＡＰＰ１マーカセグメントと、特定のマーカセグメントのマーカおよびフィールド長とを記録媒体上の第１領域に記録し、ＤＣＦ基本主画像映像を前記記録媒体上の第２領域に記録し、前記特定のマーカセグメントの残りの部分を第３領域に記録することを特徴とする映像記録再生装置。
【請求項３２】
ＪＰＥＧ圧縮データと前記ＪＰＥＧ圧縮データに関するＪＰＥＧヘッダデータとを組として記録するとともに、複数の前記組に渡って前記ＪＰＥＧヘッダデータに含まれるＥｘｉｆ付属情報およびＳＯＦマーカセグメントを記録媒体上の特定の領域にまとめて記録することを特徴とする映像記録再生方法。
【請求項３３】
ＪＰＥＧ圧縮データと前記ＪＰＥＧ圧縮データに関するＪＰＥＧヘッダデータとの組を記録媒体に記憶するとともに、複数の前記組に渡って、前記ＪＰＥＧヘッダデータに含まれる付加情報であるＥｘｉｆ付属情報およびＳＯＦマーカセグメントを前記記録媒体上の特定の領域にまとめて記憶し、
前記記録媒体上のＥｘｉｆ付属情報およびＳＯＦマーカセグメントをまとめて読出し検索することを特徴とする映像記録再生方法。
【請求項３４】
複数のマーカセグメントから構成されるＪＰＥＧファイルを記録媒体に記憶する際に、前記記録媒体の記録単位の境界と特定のマーカセグメントの記録開始位置とを一致させることを特徴とする映像記録再生方法。
【請求項３５】
ＤＣＦ基本ファイルを記録する際に、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生方法。
【請求項３６】
ＤＣＦ基本ファイルを記録媒体に記録する際に、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生方法。
【発明の詳細な説明】
技術分野
本発明は、静止画をＪＰＥＧ圧縮して光ディスク等の記録媒体へ記録する映像記録再生装置及び方法、ＪＰＥＧ圧縮された静止画が記録されたディスク、およびかかるディスクから静止画を再生する映像再生装置に関する。
背景技術
最近の映像記録再生装置において、静止画はＪＰＥＧ（Ｊｏｉｎｔ　Ｐｈｏｔｏｇｒａｐｈｉｃ　Ｅｘｐｅｒｔｓ　Ｇｒｏｕｐ）圧縮されてＤＣＦ規格（Ｄｅｓｉｇｎ　ｒｕｌｅ　ｆｏｒ　Ｃａｍｅｒａ　Ｆｉｌｅ　Ｓｙｓｔｅｍ：日本電子工業振興協会による規格）のＤＣＦ基本ファイルに準拠したファイルフォーマットで記録媒体に記録される。ＤＣＦ基本ファイルのデータ構造は、ＪＰＥＧ規格で定義されたＳＯＩ（スタート・オブ・イメージ）、ＡＰＰ１（アプリケーション・データ１）、ＤＱＴ（デファイン・クオンタイゼイション・テーブル）、ＤＨＴ（デファイン・ハフマン・テーブル）、ＳＯＦ（スタート・オブ・フレーム）、ＳＯＳ（スタート・オブ・スキャン）およびＥＯＩ（エンド・オブ・フレーム）のマーカセグメントをＪＰＥＧ規格に準拠した形態で使用する。さらにＤＣＦ規格では、各マーカセグメント内部のデータ構造をより厳格に規定する。各マーカセグメントは、マーカコード、マーカセグメント長、マーカセグメントのデータの３つから構成される。ＳＯＩマーカおよびＥＯＩマーカはマーカコードのみから構成されるので、厳密にはマーカセグメントには分類されないが、以降の説明において説明の便宜上マーカーセグメントと呼ぶことがある。また、ＤＣＦ基本ファイルはＪＰＥＧ規格で定義されたビットストリームを含むファイルなのでＪＰＥＧファイルとも呼ぶこともできる。また、ＤＣＦ基本ファイルはＡＰＰ１内にＪＰＥＧ圧縮された映像データの撮影日時やカメラ名等の付加情報や、映像のサムネイル（縮小画像）を含む仕様になっている。このＡＰＰ１内の付加情報は、まとめてＥｘｉｆ付属情報と呼ばれている。
ところで、静止画を記録した後で、撮影した被写体に関する情報（たとえば、被写体の名前や撮影場所）を静止画ファイル内に格納して保管する場合がある。これらの映像データに関する付加情報はメタデータと呼ばれる。ＤＣＦ規格で使用されるＥｘｉｆ付属情報もメタデータの一種であるが、このＥｘｉｆ付属情報は絞り値やシャッタースピード等の光学パラメータが中心で、誰が写っていて場所はどこという様な映像の内容に関する記述が十分できない。これを補うために、映像の内容に関するメタデータをＤＣＦ基本ファイル内に格納しておいて、画像検索時に利用する場合が考えられる。この場合、例えば被写体種別や撮影地名等の様々な情報を設定できるデータ領域を確保し、文字情報として設定してやれば良い。このメタデータをＤＣＦ基本ファイルに格納する場合に、ＪＰＥＧ規格で定義されたＡＰＰ０およびＡＰＰ３マーカセグメント〜ＡＰＰ１５マーカセグメントを利用することが可能である。ただし、ＡＰＰ１およびＡＰＰ２については、ＤＣＦ規格で使用を規定しているので使用しない方が良い。
図４は、ＤＣＦ基本ファイルを光ディスク上に記録した場合のデータ構造および物理的なデータ配置を示す。ＪＰＥＧファイルは、ＳＯＩ、ＡＰＰ１、ＤＱＴ、ＤＨＴ、ＳＯＦ、ＳＯＳ、ＥＯＩ等のマーカセグメントと圧縮データとから構成される。ＳＯＩマーカセグメントからＳＯＳマーカセグメント（圧縮データの前）までがＪＰＥＧヘッダと呼ばれる。
図５は、記録済みのＤＣＦ基本ファイルに対して、ＪＰＥＧ規格に準拠した形態でＡＰＰ４マーカセグメントを追加記録した場合のデータ構造および物理的なデータ配置を示す。ＪＰＥＧ規格では、ＡＰＰ４マーカセグメントを圧縮データ及びＳＯＳマーカセグメントよりも前に配置するとの規定がある。
図１２は、ＪＰＥＧファイルがＵＤＦ（Ｕｎｉｖｅｒｓａｌ　Ｄｉｓｋ　Ｆｏｒｍａｔ）ファイルシステムによってファイル管理される場合のデータ構造およびデータ配置を示す。ＪＰＥＧファイルは、ファイルエントリ（Ｆｉｌｅ　Ｅｎｔｒｙ）内のアロケーション・ディスクリプタ（Ａｌｌｏｃａｔｉｏｎ　Ｄｅｓｃｒｉｐｔｏｒ）によって参照され、また、ファイル・エントリはＦＩＤ（ファイル・アイデンディファイア・ディスクリプタ）内のＩＣＢ（インフォメーション・コントロール・ブロック）によって参照される。ＦＩＤ内のファイル・アイデンディファイア欄にはファイル名が記録される。ＪＰＥＧファイルは、セクタ番号１００００（＃１００００）から１０２２０００バイト（１Ｍバイト弱）のデータ領域を占め、ファイルエントリはセクタ番号９０００から２Ｋバイト程度のデータ領域を占め、ＦＩＤはセクタ番号８０００から６４バイト程度のデータ領域を占める。
図１３は、ファイルエントリ内のアロケーション・ディスクリプタの設定値を示す。エクステント位置（Ｅｘｔｅｎｔ　Ｐｏｓｉｔｉｏｎ）欄にはセクタ番号１００００が、エクステント長（Ｅｘｔｅｎｔ　Ｌｅｎｇｔｈ）欄にはデータサイズ１０２２０００バイトが設定されている。
従来の記録再生装置内において、付加情報（メタデータ）の追加のためにアプリケーションマーカセグメント（ＡＰＰ４）をＪＰＥＧファイルに追加する場合、ＪＰＥＧヘッダの中に入れる必要があるため、ＡＰＰ１より後ろの部分（すなわち、ほぼＪＰＥＧファイル全体）を一旦読み込んで、ＡＰＰ４の追加後に、読み込んだ部分を書き戻す必要があった。これは、一般に、データファイルの途中に新規データを追加する場合、追加点以降の元データを一旦読み込んで元データを退避した後、新規データを追加書き込みした後、追加点以降の元データを書き戻す必要があるからである。
また、ＪＰＥＧファイルの記録後に、付加情報を追加し、その後で複数のＪＰＥＧファイルに渡って付加情報を検索する場合に、１個のファイルの付加情報を取得する度にピックアップのシークが発生して処理に非常に時間がかかるという問題点があった。
以上の様に、映像記録再生装置内でメタデータ等の追加処理に時間がかかり、かつメタデータの検索時にユーザが待たされるという利便性に係る課題があった。
発明の開示
そこで、本発明の目的は、上記問題点を解消すべく、光ディスク上に記録済みのＪＰＥＧファイルに対して付加情報を短時間で追加可能にするとともに、付加情報の追加後でも、画像の表示速度が低下しない映像記録再生装置および方法を提供することにある。
また、本発明の他の目的は、画像ファイルの付加情報を複数のファイルに渡って検索する際に、高速に処理可能な映像記録再生装置および映像再生装置を提供することにある。
また、本発明の他の目的は、ファイル数が多くなっても付加情報に含まれるサムネイル画像の表示を高速に実施可能な映像記録再生装置および映像再生装置を提供することにある。
また、本発明の他の目的は、様々な付加情報のデータサイズを有する画像情報をデジタルインタフェース等を経由して映像記録再生装置へ取り込む際に、付加情報の追加処理、付加情報に含まれる各種情報の検索処理、および付加情報に含まれるサムネイル画像の表示処理を高速に処理可能な形態で記録可能な記録再生装置を提供することにある。
以上の様に、本発明は、光ディスクに記録される静止画の付加情報に対する処理を、ピックアップのシーク動作を減らして高速化することを目的とする。
前記の目的を達成するため、本発明に係る第１の映像記録再生装置は、映像情報に関する付加情報を含むヘッダ情報を生成するヘッダ組立手段と、少なくとも前記ヘッダ情報と前記映像情報とを１組として記録する記録手段とを備え、前記ヘッダ情報は、特定の付加情報間の距離情報を含むことを特徴とする。
第１の映像記録再生装置において、前記映像情報はＪＰＥＧ圧縮データであり、前記付加情報はマーカセグメントであることが好ましい。
また、第１の映像記録再生装置において、前記ヘッダ組立手段は、所望の付加情報を追加するに際し、前記所望の付加情報のデータサイズを加えた新たな距離情報を含む付加情報を生成することが好ましい。
前記の目的を達成するため、本発明に係る第１の映像記録再生方法は、映像情報に関する付加情報を含むヘッダ情報を生成するヘッダ組立工程と、少なくとも前記ヘッダ情報と前記映像情報とを１組として記録する記録工程とを備え、前記ヘッダ情報は、特定の付加情報間の距離情報を含むことを特徴とする。
第１の映像記録再生方法において、前記映像情報はＪＰＥＧ圧縮データであり、前記付加情報はマーカセグメントであることが好ましい。
また、第１の映像記録再生において、前記ヘッダ組立工程では、所望の付加情報を追加するに際し、前記所望の付加情報のデータサイズを加えた新たな距離情報を含むヘッダ情報を生成することが好ましい。
前記の目的を達成するため、本発明に係るディスクは、少なくとも映像情報と、前記映像情報に関する付加情報を含むヘッダ情報とが１組として記録されたディスクであって、前記ヘッダ情報は、前記ヘッダ情報内の特定の付加情報間の距離情報を含むことを特徴とする。
このディスクにおいて、前記映像情報はＪＰＥＧ圧縮データであり、前記付加情報はマーカセグメントであることが好ましい。
前記の目的を達成するため、本発明に係る第２の映像記録再生装置は、映像情報と、前記映像情報に関する付加情報を含むヘッダ情報とを記憶する記録媒体を用いた映像記録再生装置であって、前記映像情報の表示に必要な付加情報を取得するために前記ヘッダ情報を解析するヘッダ情報解析手段を備え、前記ヘッダ情報は、特定の付加情報間の距離情報を含み、前記ヘッダ情報解析手段は、前記距離情報を参照して関連する付加情報の解析をスキップすることを特徴とする。
前記の目的を達成するため、本発明に係る第３の映像記録再生装置は、ＤＣＦ基本ファイルを記録する記録手段を備え、前記記録手段は、Ｅｘｉｆ付属情報を含むＡＰＰ１マーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする。
前記の目的を達成するため、本発明に係る第４の映像記録再生装置は、ＤＣＦ基本ファイルを記録する記録手段を備え、前記記録手段は、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする。
前記の目的を達成するため、本発明に係る第５の映像記録再生装置は、映像情報に関する付加情報を含むヘッダ情報を生成するヘッダ組立手段と、少なくとも前記ヘッダ情報と前記映像情報とを１組として記録する記録手段と、前記ヘッダ情報に関連した距離情報を記録する距離情報記録手段とを備え、前記距離情報記録手段は、前記ヘッダ情報内の特定の付加情報間の距離情報を記録することを特徴とする。
前記の目的を達成するため、本発明に係る第６の映像記録再生装置は、映像情報、前記映像情報に関する付加情報を含むヘッダ情報および特定の前記付加情報間の距離情報を記憶する記録媒体を用いた映像記録再生装置であって、映像情報の表示に必要な付加情報を取得するために前記ヘッダ情報を解析するヘッダ情報解析手段を備え、前記ヘッダ情報解析手段は、前記距離情報を参照して関連する付加情報の解析をスキップすることを特徴とする。
前記の目的を達成するため、本発明に係る第７の映像記録再生装置は、ＪＰＥＧ圧縮データに関するＪＰＥＧヘッダデータを記録するヘッダ組立手段と、少なくとも前記ＪＰＥＧ圧縮データと前記ＪＰＥＧヘッダデータとを組として記録する記録手段とを備え、前記記録手段は、複数の前記組に渡ってＪＰＥＧヘッダデータに含まれるＥｘｉｆ付属情報およびＳＯＦマーカセグメントを記録媒体上の特定の領域にまとめて記録することを特徴とする。
前記の目的を達成するため、本発明に係る第８の映像記録再生装置は、ＪＰＥＧ圧縮データとＪＰＥＧヘッダデータとの組を記憶する記録媒体を用いた映像記録再生装置であって、複数の組に渡って前記ＪＰＥＧヘッダデータに含まれる付加情報を検索する検索手段を備え、前記記録媒体は、複数の前記組に渡って前記付加情報であるＥｘｉｆ付属情報およびＳＯＦマーカセグメントを記録媒体上の特定の領域にまとめて記憶し、前記検索手段は、記録媒体上のＥｘｉｆ付属情報およびＳＯＦマーカセグメントをまとめて読出し検索することを特徴とする。
前記の目的を達成するため、本発明に係る第９の映像記録再生装置は、映像情報に関する付加情報を含むヘッダ情報を生成するヘッダ組立手段と、前記ヘッダ情報と前記映像情報をＵＤＦファイルとして記録する記録手段とを備え、前記記録手段は、前記ＵＤＦファイルに対応するファイルエントリと前記ヘッダ情報の一部または全部とを続けて記録することを特徴とする。
第９の映像記録再生装置において、前記記録手段はさらにファイルエントリとヘッダ情報の一部または全部の組を複数のＵＤＦファイルに渡って記録媒体上の特定の領域にまとめて記録することが好ましい。
また、第９の映像記録再生装置において、前記映像情報はＪＰＥＧ圧縮データであり、前記ヘッダ情報はＪＰＥＧヘッダデータであり、前記記録手段は、前記ＵＤＦファイルに対応するファイルエントリと、前記ＪＰＥＧヘッダに含まれるＥｘｉｆ付属情報とを続けて記録することが好ましい。
また、第９の映像記録再生装置において、前記記録手段は、さらにＳＯＦマーカセグメントおよび／または特定のマーカセグメント間の距離情報を続けて記録することが好ましい。
前記の目的を達成するため、本発明に係る第１０の映像記録再生装置は、映像情報と前記映像情報に対する縮小画像を含むヘッダ情報との組をＵＤＦファイルとして記憶する記録媒体を用いた映像記録再生装置であって、前記ヘッダ情報を解析して縮小画像を表示する縮小画像表示手段を備え、前記記録媒体は、前記ＵＤＦファイルに対応するファイルエントリと前記ヘッダ情報の一部または全部とを続けて記憶し、前記縮小画像表示手段は、前記ファイルエントリと前記ヘッダ情報を一度に読出し解析して表示を行うことを特徴とする。
前記の目的を達成するため、本発明に係る第１１の映像記録再生装置は、ＤＣＦ基本ファイルを記録する記録手段を備え、前記記録手段は、ＤＣＦ基本ファイルに対応するファイルエントリと、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを続けて記録媒体上の第１領域に記録し、ＤＣＦ基本主画像映像を前記記録媒体上の第２領域に記録することを特徴とする。
前記の目的を達成するため、本発明に係る第１２の映像記録再生装置は、複数のマーカセグメントから構成されるＪＰＥＧファイルを記憶する記録手段を備え、前記記録手段は記録媒体の記録単位の境界と特定のマーカセグメントの記録開始位置が一致する様にＪＰＥＧファイルを記憶することを特徴とする。
前記の目的を達成するため、本発明に係る第１３の映像記録再生装置は、複数のマーカセグメントから構成されるＪＰＥＧファイルを記憶する記録媒体を用いた映像記録再生装置であって、ＪＰＥＧファイルの途中に所望のマーカセグメントを追加する追加記録手段を備え、前記記録媒体は、記録単位の境界と特定のマーカセグメントの記録開始位置が一致するようにＪＰＥＧファイルを記憶し、前記追加記録手段は、所望のマーカセグメントを追加記録し、さらに前記特定のマーカセグメントの前に前記所望のマーカセグメントが配置されるように前記記録単位の参照順を調整することを特徴とする。
第１２および第１３の映像記録再生装置において、前記特定のマーカセグメントはＳＯＦマーカセグメント、ＤＨＴマーカセグメント、またはＤＱＴマーカセグメントであることが好ましい。
前記の目的を達成するため、本発明に係る第１４の映像記録再生装置は、ＤＣＦ基本ファイルを記録する記録手段を備え、前記記録手段は、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする。
前記の目的を達成するため、本発明に係る第１５の映像記録再生装置は、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、その他のマーカセグメントと、ＤＣＦ基本主画像映像とを前記記録媒体上の第２領域に記憶する記録媒体を用いた映像記録再生装置であって、ＤＣＦ基本主画像を表示する映像表示手段と、前記ＤＣＦ基本主画像の先頭位置を検出するために順次マーカセグメントを解析するヘッダ情報解析手段とを備え、前記ヘッダ情報解析手段は前記距離情報を参照して関連するマーカセグメントの解析をスキップすることを特徴とする。
前記の目的を達成するため、本発明に係る第１６の映像記録再生装置は、ＤＣＦ基本ファイルを記録媒体に記録する記録手段を備え、前記記録手段は、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする。
前記の目的を達成するため、本発明に係る第１の映像再生装置は、映像情報と、前記映像情報に関する付加情報を含むヘッダ情報とが記憶された記録媒体を用いた映像再生装置であって、前記映像情報の表示に必要な付加情報を取得するために前記ヘッダ情報を解析するヘッダ情報解析手段を備え、前記ヘッダ情報は、特定の付加情報間の距離情報を含み、前記ヘッダ情報解析手段は、前記距離情報を参照して関連する付加情報の解析をスキップすることを特徴とする。
前記の目的を達成するため、本発明に係る第２の映像再生装置は、映像情報と前記映像情報に対する縮小画像を含むヘッダ情報との組がＵＤＦファイルとして記憶された記録媒体を用いた映像再生装置であって、前記ヘッダ情報を解析して縮小画像を表示する縮小画像表示手段を備え、前記記録媒体には、前記ＵＤＦファイルに対応するファイルエントリと前記ヘッダ情報の一部または全部とが続けて記憶されており、前記縮小画像表示手段は、前記ファイルエントリと前記ヘッダ情報を一度に読出し解析して表示を行うことを特徴とする。
前記の目的を達成するため、本発明に係る第１７の映像記録再生装置は、複数の情報要素から構成される画像ファイルを記憶する記憶手段を備え、前記記憶手段は、記録媒体の記録単位の境界と前記画像ファイルの途中の情報要素の記録開始位置が一致するように、前記画像ファイルを記憶することを特徴とする。
前記の目的を達成するため、本発明に係る第１８の映像記録再生装置は、ＤＣＦ基本ファイルを記録する記録手段を備え、前記記録手段は、Ｅｘｉｆ付属情報を含むＡＰＰ１マーカセグメントと、特定のマーカセグメントのマーカおよびフィールド長とを記録媒体上の第１領域に記録し、ＤＣＦ基本主画像映像を前記記録媒体上の第２領域に記録し、前記特定のマーカセグメントの残りの部分を第３領域に記録することを特徴とする。
前記の目的を達成するため、本発明に係る第２の映像記録再生方法は、ＪＰＥＧ圧縮データと前記ＪＰＥＧ圧縮データに関するＪＰＥＧヘッダデータとを組として記録するとともに、複数の前記組に渡って前記ＪＰＥＧヘッダデータに含まれるＥｘｉｆ付属情報およびＳＯＦマーカセグメントを記録媒体上の特定の領域にまとめて記録することを特徴とする。
前記の目的を達成するため、本発明に係る第３の映像記録再生方法は、ＪＰＥＧ圧縮データと前記ＪＰＥＧ圧縮データに関するＪＰＥＧヘッダデータとの組を記録媒体に記憶するとともに、複数の前記組に渡って、前記ＪＰＥＧヘッダデータに含まれる付加情報であるＥｘｉｆ付属情報およびＳＯＦマーカセグメントを前記記録媒体上の特定の領域にまとめて記憶し、前記記録媒体上のＥｘｉｆ付属情報およびＳＯＦマーカセグメントをまとめて読出し検索することを特徴とする。
前記の目的を達成するため、本発明に係る第４の映像記録再生方法は、複数のマーカセグメントから構成されるＪＰＥＧファイルを記録媒体に記憶する際に、前記記録媒体の記録単位の境界と特定のマーカセグメントの記録開始位置とを一致させることを特徴とする。
前記の目的を達成するため、本発明に係る第５の映像記録再生方法は、ＤＣＦ基本ファイルを記録する際に、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする。
前記の目的を達成するため、本発明に係る第６の映像記録再生方法は、ＤＣＦ基本ファイルを記録媒体に記録する際に、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする。
上記の構成によれば、メタデータ等の所望のマーカセグメントを追加記録した際には、少なくとも距離情報に関するヘッダ情報の一部しか変更しないので、短時間の追加処理が可能となる。また、大量のメタデータ追加後でも再生完了時間は伸びることはない。
発明を実施するための最良の形態
以下、本発明の実施の形態について、図面を参照しながら説明する。
（実施の形態１）
図１は、本発明の実施の形態１にかかる映像記録再生装置のブロック構成図である。レリーズボタン（図示せず）が押されると、記録制御部１０８は、映像入力部１００で生成した静止画像をＪＰＥＧ圧縮部１０１でＪＰＥＧ圧縮して記録部１０３、ピックアップ１１２を介して光ディスク１１１へ、ＤＱＴマーカセグメント、ＤＨＴマーカセグメント、ＳＯＦマーカセグメント、ＳＯＳマーカセグメント、圧縮データおよびＥＯＩマーカを記録する。次に、記録制御部１０８は、ＪＰＥＧヘッダ組立て部１０２を起動して、ＳＯＩマーカ、ＡＰＰ１マーカセグメント、ＡＰＰ５マーカセグメント、ＣＯＭ（コメント）マーカセグメントを記録する。さらに、記録制御部１０８は、ＳＯＩ、ＡＰＰ１、ＡＰＰ５、ＣＯＭの各マーカセグメントと、ＤＱＴ、ＤＨＴ、ＳＯＦ、ＳＯＳの各マーカセグメント、圧縮データおよびＥＯＩセグメントとを１つのファイルとして取り扱うように、ファイル管理情報を記録する。一方、メタデータ追加記録制御部１１０は、ＡＰＰ４内にメタデータを格納してＪＰＥＧヘッダ内にＡＰＰ４マーカセグメントを追加記録する。なお、光ディスク１１１はＵＤＦ（Ｕｎｉｖｅｒｓａｌ　Ｄｉｓｋ　Ｆｏｒｍａｔ）ファイルシステムでファイル管理されるものとする。この時、論理ブロックの最小管理単位は２ｋバイトであり、この単位をセクタと呼ぶものとする。
また、再生時は、再生制御部１０９の制御により、光ディスク１１１からピックアップ１１２、再生部１０７を介して信号（ＪＰＥＧファイル）が読み出され、ＪＰＥＧヘッダ解析部１０６で、ＪＰＥＧヘッダ部分に含まれるマーカセグメントが先頭から順次解析され、次に、圧縮データ部分がＪＰＥＧ伸張部１０５で静止画像として復元され、映像表示部１０４により表示される。また、キャッシュメモリ部１２０には、光ディスクの内周側に複数のファイルに渡って集中的に配置された、静止画ファイルのＦＩＤ、ファイルエントリ、および静止画ファイルのＡＰＰ１をあらかじめ読み込んで記憶しておく。これにより、静止画の再生時は、ファイルの管理情報やＡＰＰ１の参照時にいちいち光ディスクを読みに行かなくてもキャッシュメモリ部１２０を読めば良くなるので、静止画の再生処理、サムネイルの再生処理、およびメタデータの検索処理を高速化できる。
図１４は、光ディスク１１１上のＤＣＦ基本ファイルのデータ配置を示す。各ファイルのＦＩＤ、およびファイル・エントリ＋ＳＯＩマーカ＋ＡＰＰ１マーカセグメント＋ＡＰＰ５マーカセグメント＋ＣＯＭマーカセグメントはそれぞれグループ化して光ディスク１１１の内周側（例えば、セクタ番号＃１０００や＃２０００）へ記録する。一方、ＤＱＴマーカセグメント＋ＤＨＴマーカセグメント＋ＳＯＦマーカセグメント＋ＳＯＳマーカセグメント＋圧縮データ＋ＥＯＩマーカは外周側（例えば、セクタ番号＃１００００）に記録する。
図２は、静止画記録時のＪＰＥＧファイル（ＤＣＦ基本ファイル）のデータ構造およびデータ配置を示す概念図である。図中のＳＯＩ、ＡＰＰ１、ＡＰＰ５、ＣＯＭマーカセグメントは、例えば、光ディスク１１１の内周側の領域Ａに記録する。一方、ＤＱＴ、ＤＨＴ、ＳＯＦ、ＳＯＳマーカセグメント、圧縮データ、ＥＯＩマーカは、光ディスク１１１の外周側の領域Ｂに記録する。さらに複数のＪＰＥＧファイルに渡って内周側と外周側に分けて記録し、このとき内周側のデータは物理的にまとめて記録する。これは、複数ファイルのＡＰＰ１内に含まれるサムネイル画像を始めとする付加情報をまとめて読み易くするためである。このとき、ＡＰＰ５マーカセグメント内に、ＣＯＭマーカセグメント先頭からＤＱＴマーカセグメント先頭までのデータサイズをオフセット値としてバイト数で設定する。また、図中のアドレス４〜７の意味として示した文字列‘ＡＢＣＤ’は、マーカセグメント内の以降のデータ構造が本実施の形態の映像記録再生装置に固有のものであることを確認するためのデータである。すなわち、静止画再生時にＡＰＰ５マーカセグメントを探し、さらに文字列‘ＡＢＣＤ’が存在するかどうかで、ＡＰＰ５マーカセグメント内のデータ構造が本実施の形態の映像記録再生装置に固有のものであるかどうかを判定する。
また、ＣＯＭマーカセグメントは、ＳＯＩマーカからＣＯＭマーカまでのデータ領域の終端を、光ディスクのセクタの終端に合わせるためにパディング（スタッフィング）データとして挿入したものである。
図１５は、光ディスク１１１上におけるファイルのデータ配置を示す。領域Ａは、ＳＯＩマーカからＣＯＭマーカセグメントまでが記録される、光ディスク１１１の内周側の領域を指し、領域Ｃは、ＡＰＰ４マーカセグメントが記録される、領域Ａよりも少し外周側の領域を指す。領域Ｂは、ＤＱＴマーカセグメントからＥＯＩマーカまでが記録される、領域Ａおよび領域Ｃ以外の残りの領域を指す。ピックアップ１１２は、動作開始時は内周側で停止することを前提とすれば、内周側のデータは動作開始時において距離的に読出し易い。さらに、領域Ａおよび領域Ｃには複数のファイルにわたってメタデータを集中配置させるので、一度にメタデータを取り出し易い。一方、領域Ｂには、ＤＱＴマーカセグメントからＥＯＩマーカまでといった、画像の圧縮データ本体を記録する。
図８は、図２のＪＰＥＧファイルに対するＵＤＦファイルシステムによるファイル管理状態を示す。領域Ａおよび領域Ｂは、それぞれアロケーション・ディスクリプタＡおよびアロケーション・ディスグリプタＢを介してファイルエントリより参照されて、１つのファイルとして管理される。また、ファイルエントリはＦＩＤより参照される。領域Ａのデータサイズは１０ｋバイトを占め、領域Ｂのデータサイズは１０１４７６０バイトを占める。ファイルエントリおよび領域Ａはセクタ番号２０００から２００５まで続けて記録される。また、ＦＩＤは光ディスク１１１の内周側のセクタ番号１０００から記録され、領域Ｂは外周側のセクタ番号８０００から記録される。
図９は、図８のファイルエントリ内のアロケーション・ディスクリプタＡおよびアロケーション・ディスクリプタＢの設定値を示す。アロケーション・ディスクリプタＡのエクステント位置欄にはセクタ番号２００１が、エクステント長欄にはデータサイズ１０２４０バイトが設定される。アロケーション・ディスクリプタＢのエクステント位置欄にはセクタ番号８０００が、エクステント長欄にはデータサイズ１０１４７６０バイトが設定される。
図３は、ＡＰＰ４マーカセグメント内にメタデータを入れて、ＪＰＥＧファイルの途中に追加記録した場合のデータ構造およびデータ配置を示す概念図である。ＡＰＰ４マーカセグメントのデータ長はセクタの整数倍（図３では１倍の２ｋバイト）とする。また、ＡＰＰ４マーカセグメントの追加時もＡＰＰ５内のオフセット値はＣＯＭマーカセグメントからＤＱＴマーカセグメントの先頭までのデータサイズを設定するものとする。
図１０は、図３のＪＰＥＧファイルのＵＤＦファイルシステムによるファイル管理情報を示す。領域Ａ、領域Ｃおよび領域Ｂは、それぞれアロケーション・ディスクリプタＡ、アロケーション・ディスクリプタＣおよびアロケーション・ディスクリプタＢを介してファイルエントリより参照されて、１つのファイルとして管理される。また、ファイルエントリはＦＩＤより参照される。領域Ａのデータサイズは１０ｋバイトを占め、領域Ｂのデータサイズは１０１４７６０バイトを占め、領域Ｃのデータサイズは２０４８バイトを占める。ファイルエントリおよび領域Ａは、セクタ番号２０００から２００５まで続けて記録される。また、ＦＩＤは光ディスク１１１の内周側のセクタ番号１０００から記録され、領域Ｂは外周側のセクタ番号８０００から記録され、領域Ｃは外周側のセクタ番号３０００から記録される。
図１１は、図１０のファイルエントリ内のアロケーション・ディスクリプタＡ、アロケーション・ディスクリプタＢおよびアロケーション・ディスクリプタＣの設定値を示す。アロケーション・ディスクリプタＡのエクステント位置欄にはセクタ番号２００１が、エクステント長欄にはデータサイズ１０２４０バイトが設定されている。アロケーション・ディスクリプタＢのエクステント位置欄にはセクタ番号８０００が、エクステント長欄にはデータサイズ１０１４７６０バイトが設定される。アロケーション・ディスクリプタＣのエクステント位置欄にはセクタ番号３０００が、エクステント長欄にはデータサイズ２０４８バイトが設定される。
以上の構成で、ＪＰＥＧファイルを一旦記録した後、そのＪＰＥＧファイルにメタデータをＡＰＰ４マーカセグメント内に入れた形態で挿入する場合、メタデータ追加記録制御部１１０はＵＤＦのアロケーションディスクリプタＣを増設するのみでＪＰＥＧファイル内に取り込み（１つのファイルとしての取り扱い）が可能になる。さらに、ＡＰＰ５内のオフセット値をＡＰＰ４のデータサイズ分加算して再度記録する。これにより、静止画の再生時に再生制御部１０９は先頭から順にマーカセグメントを解析して行き、該当するＡＰＰ５を検出すると、内部のオフセット値を参照することにより、ＤＱＴマーカセグメントの先頭位置を、追加したＡＰＰ４を読出すこと無く知ることができる。つまりピックアップ１１２は、領域Ａ、領域Ｂを順次読出す際に、領域Ｃを経由しないで良いことになり、シーク動作を確実に１回減らすことができる。この結果、静止画の表示完了までの時間をメタデータ（ＡＰＰ４）が無かった場合と同じにすることができる。このことは、例えばシーク時の最悪時の移動時間が１秒の場合、最高で１秒の処理時間を削減できることになる。
また、サムネイル画像を表示する際に、再生制御部１０９は、キャッシュメモリ上のＦＩＤを参照して、キャッシュメモリ上のファイルエントリの記録位置を検出した後、その記録位置に対応するキャッシュメモリ上のアドレスから、一度に１２ｋバイトを光ディスク上からまとめて読み込むことにより、ＡＰＰ１を取得することができる。そして、そのＡＰＰ１マーカセグメントに含まれるサムネイル画像を表示する。この時、ＪＰＥＧファイルの総数が比較的多い場合、全てのＦＩＤ、ファイルエントリ、および領域Ａ相当分がキャッシュメモリに入り切らない場合が想定される。たとえば、８Ｍバイトのキャッシュメモリには６６０枚程度のＦＩＤおよび領域Ａ相当分しか入らない。これを越える場合は、領域Ａ相当分をキャッシュできないＪＰＥＧファイルがでてくる。この様なキャッシュされていないＪＰＥＧファイルのサムネイルを再生する場合、ＦＩＤ、ファイルエントリおよび領域Ａ相当分を光ディスクから直接読出すことになるが、ファイルエントリと領域Ａ相当分が連続して記録されていることにより、シーク動作を１回減らすことができる。このことは、９枚のサムネイル画像を一度に表示する場合、例えば０．２秒（内周側をシークする場合のアクセス時間）×９＝１．８秒分の処理時間を短縮化できる。
（実施の形態２）
図６は、図３に示したデータ構造を少し変更したケースである。違いは、ＳＯＦマーカセグメントのデータ配置が領域Ｂから領域Ａへ移動している点である。ＤＣＦ基本ファイルにおいて記録した静止画の画素数や色サンプル数（４：２：２／４：２：０等）が書かれているのはＳＯＦマーカセグメントのみである。これにより、複数のＪＰＥＧファイルに渡って画素数や色サンプル数で検索やソートする場合に、ＳＯＦマーカセグメントがキャッシュメモリ上に存在することになるので、領域Ｂ相当部分にある場合に較べて処理時間を大幅に向上できる。このことは、例えばシーク時の最悪時の移動時間が１秒の場合、最高で検索対象ファイル数と同じ秒数の処理時間を削減できることになる。なお、ＦＩＤはファイルエントリやＳＯＩマーカからＣＯＭマーカセグメントまでとは一緒に（物理的に連続的に）は記録しない。これは、ファイル名の検索時に不利に作用するからである。
（実施の形態３）
図７は、ＤＣＦ規格に従って、ＡＰＰ１マーカセグメントと共にＡＰＰ２マーカセグメントを含んだＤＣＦ基本ファイルを記録する場合を示す。ＡＰＰ２マーカセグメントには、ＤＣＦ基本ファイルからＦｌａｓｈＰｉｘファイルフォーマットへの変換を容易にするための情報が格納される。ＡＰＰ２マーカセグメントは、データサイズがＡＰＰ１に較べると大きい場合が多いこと（例えば６４Ｋバイト）と、検索対象となりにくいこと、および領域Ａは有限であることから、領域Ａ相当部分に格納することは避けたい。そこで、領域Ａ上のＡＰＰ２のデータサイズを絞り、セクタ境界までとし（これにより、ＡＰＰ２のデータサイズは通常１セクタ以下になる）、残りは領域Ｂ相当部分に記録する。この時、続けて、実施の形態１と同様のＡＰＰ５マーカセグメントおよびＣＯＭマーカセグメントをセクタ境界まで記録する。ＡＰＰ４マーカセグメントを追加する場合は、ＣＯＭマーカセグメントの次に配置される様にファイルエントリを変更することにより実現する。同時にＡＰＰ５内の距離情報を更新する。メタデータ追加した後における画像再生時は、ＪＰＥＧファイルの先頭より各マーカセグメントを順次解析し、途中でＡＰＰ５マーカセグメントを検出すると、記録されたオフセット値を参照して領域Ｃに記録されたＡＰＰ４マーカセグメントを読み飛ばす。これにより、ピックアップの領域Ｂから領域Ｃへの移動、および領域Ｃから領域Ｂへの移動を無くせる。すなわち、シーク動作を２回減らせることになる。このことは、例えばシーク時の最悪時の移動時間が１秒の場合、最高２秒の処理時間を削減できることになる。
なお、上記の各実施の形態において、記憶媒体は光ディスクであるとしたが、例えばＤＶＤ−ＲＡＭ、ＭＯ（光磁気ディスク）、ＤＶＤ−Ｒ、ＤＶＤ−ＲＷ、ＤＶＤ＋ＲＷ、ＣＤ−Ｒ、ＣＤ−ＲＷ等の光ディスクや、ハードディスク等のディスク形状を有する記録媒体であれば何でも良い。
同様に、各実施の形態において、読み書きヘッドはピックアップとしているが、ＭＯの場合はピックアップ及び磁気ヘッドとなり、またハードディスクの場合は磁気ヘッドとなる。
また、各実施の形態において、映像圧縮符号はＪＰＥＧであるとしたが、例えばＪＰＥＧ２０００や非圧縮等、他の符号形式でも良いことは言うまでも無い。
また、各実施の形態において、ファイルはＵＤＦファイルシステムで管理したが、ＦＡＴ（ファイル・アロケーション・テーブル）、ＮＴＦＳ（ＮＴ　Ｆｉｌｅ　Ｓｙｓｔｅｍ）、各種ＵＦＳ（ＵＮＩＸ　Ｆｉｌｅ　Ｓｙｓｔｅｍ）、ＭａｃＯＳファイルシステム、または、その他のファイルシステムで管理されても良い。
また、各実施の形態において、図２のＡＰＰ５内のオフセット値はＤＱＴマーカセグメントまでのオフセット値としたが、例えばＤＱＴマーカセグメントよりもＤＨＴマーカセグメントが前に記録される場合は、ＤＨＴまでのオフセット値であっても良い。同様にＳＯＦマーカセグメントまでのオフセット値であっても良い。また、ＡＰＰ４マーカセグメントを読み飛ばすための距離情報としてオフセット値を記録したが、図２のＣＯＭマーカセグメントとＤＱＴマーカセグメントの間に他にも読み飛ばしたいマーカセグメントがあれば、そのマーカセグメントのデータサイズを含んでも良い。
また、各実施の形態において、オフセット値はＪＰＥＧファイル内に格納したが、ＪＰＥＧファイルの外に記録しておいても良い。
また、実施の形態１において、メタデータや距離情報を挿入する静止画像はＪＰＥＧファイルであるものとしたが、ＴＩＦＦ（Ｔａｇｇｅｄ　Ｉｍａｇｅ　Ｆｉｌｅ　Ｆｏｒｍａｔ）ファイルやＭｏｔｉｏｎ　ＪＰＥＧファイルの様な、ファイルヘッダの中にメタデータを挿入可能であれば別のファイルフォーマットであっても良い。また、独自のファイル形式で記録されていても良い。ただし、この場合、メタデータや距離情報を各ファイルフォーマット規格内で使用可能なデータ構造内に格納することが必要であることは言うまでも無い。
図１７に、ＴＩＦＦファイルの場合における、メタデータ追加後のデータ構造およびデータ配置例を示す。メタデータはプライベート・タグ（Ｐｒｉｖａｔｅ　Ｔａｇ）フィールドによって参照される位置を起点として、５バイト目から追加する。４バイト目までには、実施の形態１と同様のフォーマットを識別するための文字（‘ＡＢＣＤ’）を記録する。追加するメタデータは、領域Ｃのセクタの先頭から記録する。一方、サムネイルデータは、領域Ｂのセクタの先頭からあらかじめ記録しておく。また、次にＩＦＤポインタ（Ｎｅｘｔ　ＩＦＤ　Ｐｏｉｎｔｅｒ）は非圧縮サムネイルデータの位置までのデータサイズを保持する。また、ストリップ・オフセット（Ｓｔｒｉｐ　Ｏｆｆｓｅｔｓ）フィールドは映像データの先頭までデータサイズを保持する。さらに、メタデータ追加点より前のデータおよび後ろのデータは、領域Ｂ内に物理的に連続して記録してあれば良い。なお、この場合、映像データの先頭位置は、ストリップ・オフセットフィールドを見れば分るので、実施の形態１、２、および３の様なオフセット値は不要である。以上の様なデータ配置とすることで、メタデータの追加が容易で、かつ、メタデータの検索が容易となる。
また、各実施の形態において、領域Ａ相当部分は１０ｋバイトとしたが、セクタサイズの整数倍であれば良い。これにより、他のデータサイズのＤＣＦ基本ファイルを本実施の形態の光ディスクに書き込む際に、領域Ａ相当部分を固定長にして、サムネイル画像を作成し直すことにより付加情報のデータサイズを小さくする方法に較べて格納が容易に実施できる。つまり、他のデジタルカメラで撮影された外部のＤＣＦ基本ファイルを取り込む際に、そのファイルのＡＰＰ１マーカセグメントはそのまま記録し、ＡＰＰ５およびＣＯＭマーカセグメントを追加してセクタ境界を合わせ、残り部分を領域Ｂ相当部分に書き込むだけで良い。このことは、他のデジタルカメラで撮影された異なるサムネイルデータサイズを有するＪＰＥＧファイルを容易に光ディスクへ格納可能であることを意味する。つまり、様々な付加情報のデータサイズを有するＪＰＥＧファイルに対しても、取り込みが容易で、かつサムネイル画像の表示や付加情報の検索、付加情報の追加処理を高速に行うことが可能になる。
また、各実施の形態において、メタデータを格納したＡＰＰ４マーカセグメントも複数のＪＰＥＧファイルに渡って特定の記録領域にまとめて記録する様にしても良い。これにより、複数のＪＰＥＧファイルのメタデータを一度にキャッシュメモリ上に読み込み、検索処理を高速に実施することが可能になる。
また、各実施の形態において、ＦＩＤやファイルエントリのファイル管理情報や内周側に集中配置するものしたが、ピックアップの動作起動時に外周側に位置する場合は外周側に集中配置しても良い。また、外周側と内周側の中間であっても集中配置してあって、まとめて一度に読出し易ければ良い。
また、各実施の形態において、メタデータを格納したＡＰＰ４マーカセグメントは領域Ｃを占有するものとしたが、図１６に示すように、ＡＰＰ４マーカセグメントのマーカコードおよびセグメント長フィールドが領域Ａの最終４バイトを占めても良い。これにより、オフセット値を持つＡＰＰ５マーカセグメントが無くても、領域Ａを読むだけで、領域Ｃのデータサイズを知ることができる。このデータサイズ値を使って領域Ｃを読み飛ばすことができる。ただし、この場合、あらかじめＡＰＰ４の先頭８バイトを記憶するための領域を、ＣＯＭマーカセグメントを使って確保する必要がある。また、あらかじめセグメント長を６バイトとして記録しておいても良い。
また、各実施の形態において、ＡＰＰ４およびＡＰＰ５マーカセグメントを使用したが、ＪＰＥＧ規格およびＤＣＦ規格に準じてデータを配置できれば良く、ＡＰＰ３、ＡＰＰ６〜１５、またはＡＰＰ０であっても良い。ＣＯＭマーカセグメントであっても良い。
また、各実施の形態において、メタデータ格納前の静止画フォーマットはＤＣＦ基本ファイルであるものとしたが、Ｅｘｉｆ規格（ＪＥＩＤＡ規格、デジタルスチルカメラ用画像ファイルフォーマット規格）、ＪＦＩＦ規格、またはＪＰＥＧ規格に準拠したファイルフォーマットであっても良い。ただし、この場合、サムネイル画像等の付加情報をＪＰＥＧヘッダ部分に含むとは限らない。
以上のように、本発明によれば、圧縮データとヘッダ情報とを１つのファイルとして記録し、ヘッダ情報に特定のマーカセグメント間の距離情報を含むように構成したので、全てのデータの読み出し・再記録を行う必要がなく、メタデータ等の追加処理が著しく短時間に処理できる。また、メタデータ追加により再生時の表示が遅くなることを防ぐことができる。
また、画像ファイルの付加情報を複数のファイルに渡って画素数や色サンプル数を検索する際に、ピックアップのシークを抑えて高速に処理可能になる。
また、ファイル数が多くなっても付加情報に含まれるサムネイル画像の表示を高速に実施可能になる。
また、様々な付加情報のデータサイズを有する画像情報を容易に取り込み、かつサムネイル画像の表示や付加情報の検索、付加情報の追加処理を高速に行うことが可能になる。
【図面の簡単な説明】
図１は、本発明の実施の形態１による映像記録再生装置の構成を示すブロック図である。
図２は、図１の映像記録再生装置におけるＪＰＥＧファイルのデータ構造およびデータ配置を示す図である。
図３は、図１の映像記録再生装置におけるメタデータ追加後のＪＰＥＧファイルのデータ構造およびデータ配置を示す図である。
図４は、従来のＪＰＥＧファイルのデータ構造およびデータ配置を示す図である。
図５は、従来のメタデータ追加後のＪＰＥＧファイルのデータ構造およびデータ配置を示す図である。
図６は、本発明の実施の形態２による映像記録再生装置におけるメタデータ追加後のＪＰＥＧファイルのデータ構造およびデータ配置を示す図である。
図７は、本発明の実施の形態３による映像記録再生装置におけるメタデータ追加後のＪＰＥＧファイルのデータ構造およびデータ配置を示す図である。
図８は、本発明の実施の形態１におけるメタデータ追加前のＪＰＥＧファイルに対するＵＤＦファイルシステムによるファイル管理状態を示す図である。
図９は、本発明の実施の形態１におけるメタデータ追加前のファイル管理情報を示す図である。
図１０は、本発明の実施の形態１におけるメタデータ追加後のＪＰＥＧファイルに対するＵＤＦファイルシステムによるファイル管理状態を示す図である。
図１１は、本発明の実施の形態１におけるメタデータ追加後のファイル管理情報を示す図である。
図１２は、従来の映像記録再生装置におけるＪＰＥＧファイルに対するＵＤＦファイルシステムによるファイル管理状態を示す図である。
図１３は、従来の映像記録再生装置におけるＪＰＥＧファイルに対するのＵＤＦファイルシステムによるファイル管理情報を示す図である。
図１４は、本発明の実施の形態１４におけるＪＰＥＧファイルのデータ構造およびデータ配置を示す図である。
図１５は、本発明の実施の形態１における光ディスクのデータ領域を示す図である。
図１６は、ＡＰＰ４のみ使用する場合におけるメタデータ追加後のＪＰＥＧファイルのデータ構造およびデータ配置を示す図である。
図１７は、ＴＩＦＦファイルの場合におけるメタデータ追加後のデータ構造およびデータ配置を示す図である。
【図１】
2002023898.tif 000003
【図２】
2002023898.tif 000004
【図３】
2002023898.tif 000005
【図４】
2002023898.tif 000006
【図５】
2002023898.tif 000007
【図６】
2002023898.tif 000008
【図７】
2002023898.tif 000009
【図８】
2002023898.tif 000010
【図９】
2002023898.tif 000011
【図１０】
2002023898.tif 000012
【図１１】
2002023898.tif 000013
【図１２】
2002023898.tif 000014
【図１３】
2002023898.tif 000015
【図１４】
2002023898.tif 000016
【図１５】
2002023898.tif 000017
【図１６】
2002023898.tif 000018
【図１７】
2002023898.tif 000019
【手続補正書】
【提出日】平成14年5月23日(2002.5.23)
【手続補正１】
【補正対象書類名】明細書
【補正対象項目名】特許請求の範囲
【補正方法】変更
【補正の内容】
【特許請求の範囲】
【請求項１】
映像情報に関する付加情報を含むヘッダ情報を生成するヘッダ組立手段と、
少なくとも前記ヘッダ情報と前記映像情報とを１組として記録する記録手段とを備え、
前記ヘッダ情報は、特定の付加情報間の距離情報を含むことを特徴とする映像記録再生装置。
【請求項２】
前記映像情報はＪＰＥＧ圧縮データであり、前記付加情報はマーカセグメントであることを特徴とする請求項１記載の映像記録再生装置。
【請求項３】
前記ヘッダ組立手段は、所望の付加情報を追加するに際し、前記所望の付加情報のデータサイズを加えた新たな距離情報を含む付加情報を生成することを特徴とする請求項１記載の映像記録再生装置。
【請求項４】
映像情報に関する付加情報を含むヘッダ情報を生成するヘッダ組立工程と、
少なくとも前記ヘッダ情報と前記映像情報とを１組として記録する記録工程とを備え、
前記ヘッダ情報は、特定の付加情報間の距離情報を含むことを特徴とする映像記録再生方法。
【請求項５】
前記映像情報はＪＰＥＧ圧縮データであり、前記付加情報はマーカセグメントであることを特徴とする請求項４記載の映像記録再生方法。
【請求項６】
前記ヘッダ組立工程において、所望の付加情報を追加するに際し、前記所望の付加情報のデータサイズを加えた新たな距離情報を含むヘッダ情報を生成することを特徴とする請求項４記載の映像記録再生方法。
【請求項７】
少なくとも映像情報と、前記映像情報に関する付加情報を含むヘッダ情報とが１組として記録されたディスクであって、
前記ヘッダ情報は、前記ヘッダ情報内の特定の付加情報間の距離情報を含むことを特徴とするディスク。
【請求項８】
前記映像情報はＪＰＥＧ圧縮データであり、前記付加情報はマーカセグメントであることを特徴とする請求項７記載のディスク。
【請求項９】
映像情報と、前記映像情報に関する付加情報を含むヘッダ情報とを記憶する記録媒体を用いた映像記録再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像記録再生装置。
【請求項１０】
ＤＣＦ基本ファイルを記録する記録手段を備え、
前記記録手段は、Ｅｘｉｆ付属情報を含むＡＰＰ１マーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする映像記録再生装置。
【請求項１１】
ＤＣＦ基本ファイルを記録する記録手段を備え、
前記記録手段は、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする映像記録再生装置。
【請求項１２】
映像情報に関する付加情報を含むヘッダ情報を生成するヘッダ組立手段と、
少なくとも前記ヘッダ情報と前記映像情報とを１組として記録する記録手段と、
前記ヘッダ情報に関連した距離情報を記録する距離情報記録手段とを備え、
前記距離情報記録手段は、前記ヘッダ情報内の特定の付加情報間の距離情報を記録することを特徴とする映像記録再生装置。
【請求項１３】
映像情報、前記映像情報に関する付加情報を含むヘッダ情報および特定の前記付加情報間の距離情報を記憶する記録媒体を用いた映像記録再生装置であって、
映像情報の表示に必要な付加情報を取得するために前記ヘッダ情報を解析するヘッダ情報解析手段を備え、
前記ヘッダ情報解析手段は、前記距離情報を参照して関連する付加情報の解析をスキップすることを特徴とする映像記録再生装置。
【請求項１４】
ＪＰＥＧ圧縮データに関するＪＰＥＧヘッダデータを記録するヘッダ組立手段と、
少なくとも前記ＪＰＥＧ圧縮データと前記ＪＰＥＧヘッダデータとを組として記録する記録手段とを備え、
前記記録手段は、複数の前記組に渡ってＪＰＥＧヘッダデータに含まれるＥｘｉｆ付属情報およびＳＯＦマーカセグメントを記録媒体上の特定の領域にまとめて記録することを特徴とする映像記録再生装置。
【請求項１５】
ＪＰＥＧ圧縮データとＪＰＥＧヘッダデータとの組を記憶する記録媒体を用いた映像記録再生装置であって、
複数の組に渡って前記ＪＰＥＧヘッダデータに含まれる付加情報を検索する検索手段を備え、
前記記録媒体は、複数の前記組に渡って前記付加情報であるＥｘｉｆ付属情報およびＳＯＦマーカセグメントを記録媒体上の特定の領域にまとめて記憶し、
前記検索手段は、記録媒体上のＥｘｉｆ付属情報およびＳＯＦマーカセグメントをまとめて読出し検索することを特徴とする映像記録再生装置。
【請求項１６】
映像情報に関する付加情報を含むヘッダ情報を生成するヘッダ組立手段と、
前記ヘッダ情報と前記映像情報をＵＤＦファイルとして記録する記録手段とを備え、
前記記録手段は、前記ＵＤＦファイルに対応するファイルエントリと前記ヘッダ情報の一部または全部とを続けて記録することを特徴とする映像記録再生装置。
【請求項１７】
前記記録手段はさらにファイルエントリとヘッダ情報の一部または全部の組を複数のＵＤＦファイルに渡って記録媒体上の特定の領域にまとめて記録することを特徴とする請求項１６記載の映像記録再生装置。
【請求項１８】
前記映像情報はＪＰＥＧ圧縮データであり、前記ヘッダ情報はＪＰＥＧヘッダデータであり、前記記録手段は、前記ＵＤＦファイルに対応するファイルエントリと、前記ＪＰＥＧヘッダに含まれるＥｘｉｆ付属情報とを続けて記録することを特徴とする請求項１６記載の映像記録再生装置。
【請求項１９】
前記記録手段は、さらにＳＯＦマーカセグメントおよび／または特定のマーカセグメント間の距離情報を続けて記録することを特徴とする請求項１８記載の映像記録再生装置。
【請求項２０】
映像情報と前記映像情報に対する縮小画像を含むヘッダ情報との組をＵＤＦファイルとして記憶する記録媒体を用いた映像記録再生装置であって、
前記ヘッダ情報を解析して縮小画像を表示する縮小画像表示手段を備え、
前記記録媒体は、前記ＵＤＦファイルに対応するファイルエントリと前記ヘッダ情報の一部または全部とを続けて記憶し、
前記縮小画像表示手段は、前記ファイルエントリと前記ヘッダ情報を一度に読出し解析して表示を行うことを特徴とする映像記録再生装置。
【請求項２１】
ＤＣＦ基本ファイルを記録する記録手段を備え、
前記記録手段は、ＤＣＦ基本ファイルに対応するファイルエントリと、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを続けて記録媒体上の第１領域に記録し、ＤＣＦ基本主画像映像を前記記録媒体上の第２領域に記録することを特徴とする映像記録再生装置。
【請求項２２】
複数のマーカセグメントから構成されるＪＰＥＧファイルを記憶する記録手段を備え、前記記録手段は記録媒体の記録単位の境界と特定のマーカセグメントの記録開始位置が一致する様にＪＰＥＧファイルを記憶することを特徴とする映像記録再生装置。
【請求項２３】
複数のマーカセグメントから構成されるＪＰＥＧファイルを記憶する記録媒体を用いた映像記録再生装置であって、
ＪＰＥＧファイルの途中に所望のマーカセグメントを追加する追加記録手段を備え、
前記記録媒体は、記録単位の境界と特定のマーカセグメントの記録開始位置が一致するようにＪＰＥＧファイルを記憶し、
前記追加記録手段は、所望のマーカセグメントを追加記録し、さらに前記特定のマーカセグメントの前に前記所望のマーカセグメントが配置されるように前記記録単位の参照順を調整することを特徴とする映像記録再生装置。
【請求項２４】
前記特定のマーカセグメントはＳＯＦマーカセグメント、ＤＨＴマーカセグメント、またはＤＱＴマーカセグメントであることを特徴とする請求項２２または２３記載の映像記録再生装置。
【請求項２５】
ＤＣＦ基本ファイルを記録する記録手段を備え、
前記記録手段は、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生装置。
【請求項２６】
ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、その他のマーカセグメントと、ＤＣＦ基本主画像映像とを前記記録媒体上の第２領域に記憶する記録媒体を用いた映像記録再生装置であって、
ＤＣＦ基本主画像を表示する映像表示手段と、
前記ＤＣＦ基本主画像の先頭位置を検出するために順次マーカセグメントを解析するヘッダ情報解析手段とを備え、
前記ヘッダ情報解析手段は前記距離情報を参照して関連するマーカセグメントの解析をスキップすることを特徴とする映像記録再生装置。
【請求項２７】
ＤＣＦ基本ファイルを記録媒体に記録する記録手段を備え、
前記記録手段は、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生装置。
【請求項２８】
映像情報と、前記映像情報に関する付加情報を含むヘッダ情報とが記憶された記録媒体を用いた映像再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像再生装置。
【請求項２９】
映像情報と前記映像情報に対する縮小画像を含むヘッダ情報との組がＵＤＦファイルとして記憶された記録媒体を用いた映像再生装置であって、
前記ヘッダ情報を解析して縮小画像を表示する縮小画像表示手段を備え、
前記記録媒体には、前記ＵＤＦファイルに対応するファイルエントリと前記ヘッダ情報の一部または全部とが続けて記憶されており、
前記縮小画像表示手段は、前記ファイルエントリと前記ヘッダ情報を一度に読出し解析して表示を行うことを特徴とする映像再生装置。
【請求項３０】
複数の情報要素から構成される画像ファイルを記憶する記憶手段を備え、前記記憶手段は、記録媒体の記録単位の境界と前記画像ファイルの途中の情報要素の記録開始位置が一致するように、前記画像ファイルを記憶することを特徴とする映像記録再生装置。
【請求項３１】
ＤＣＦ基本ファイルを記録する記録手段を備え、
前記記録手段は、Ｅｘｉｆ付属情報を含むＡＰＰ１マーカセグメントと、特定のマーカセグメントのマーカおよびフィールド長とを記録媒体上の第１領域に記録し、ＤＣＦ基本主画像映像を前記記録媒体上の第２領域に記録し、前記特定のマーカセグメントの残りの部分を第３領域に記録することを特徴とする映像記録再生装置。
【請求項３２】
ＪＰＥＧ圧縮データと前記ＪＰＥＧ圧縮データに関するＪＰＥＧヘッダデータとを組として記録するとともに、複数の前記組に渡って前記ＪＰＥＧヘッダデータに含まれるＥｘｉｆ付属情報およびＳＯＦマーカセグメントを記録媒体上の特定の領域にまとめて記録することを特徴とする映像記録再生方法。
【請求項３３】
ＪＰＥＧ圧縮データと前記ＪＰＥＧ圧縮データに関するＪＰＥＧヘッダデータとの組を記録媒体に記憶するとともに、複数の前記組に渡って、前記ＪＰＥＧヘッダデータに含まれる付加情報であるＥｘｉｆ付属情報およびＳＯＦマーカセグメントを前記記録媒体上の特定の領域にまとめて記憶し、
前記記録媒体上のＥｘｉｆ付属情報およびＳＯＦマーカセグメントをまとめて読出し検索することを特徴とする映像記録再生方法。
【請求項３４】
複数のマーカセグメントから構成されるＪＰＥＧファイルを記録媒体に記憶する際に、前記記録媒体の記録単位の境界と特定のマーカセグメントの記録開始位置とを一致させることを特徴とする映像記録再生方法。
【請求項３５】
ＤＣＦ基本ファイルを記録する際に、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生方法。
【請求項３６】
ＤＣＦ基本ファイルを記録媒体に記録する際に、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生方法。
【請求項３７】
映像情報に関する付加情報を含むヘッダ情報を生成するヘッダ組立手段と、
少なくとも前記ヘッダ情報と前記映像情報とを１組として記録する記録手段とを備え、
前記ヘッダ組立手段は、所望の付加情報を追加するに際し、前記所望の付加情報を挟む特定の付加情報間の距離情報を前記ヘッダ情報内に生成することを特徴とする映像記録再生装置。
【請求項３８】
前記映像情報はＪＰＥＧ圧縮データであり、前記付加情報はマーカセグメントであることを特徴とする請求項３７記載の映像記録再生装置。
【手続補正書】
【提出日】平成14年5月23日(2002.5.23)
【手続補正１】
【補正対象書類名】明細書
【補正対象項目名】特許請求の範囲
【補正方法】変更
【補正の内容】
【特許請求の範囲】
【請求項１】
映像情報に関する付加情報を含むヘッダ情報を生成するヘッダ組立手段と、
少なくとも前記ヘッダ情報と前記映像情報とを１組として記録する記録手段とを備え、
前記ヘッダ情報は、特定の付加情報間の距離情報を含むことを特徴とする映像記録再生装置。
【請求項２】
前記映像情報はＪＰＥＧ圧縮データであり、前記付加情報はマーカセグメントであることを特徴とする請求項１記載の映像記録再生装置。
【請求項３】
前記ヘッダ組立手段は、所望の付加情報を追加するに際し、前記所望の付加情報のデータサイズを加えた新たな距離情報を含む付加情報を生成することを特徴とする請求項１記載の映像記録再生装置。
【請求項４】
映像情報に関する付加情報を含むヘッダ情報を生成するヘッダ組立工程と、
少なくとも前記ヘッダ情報と前記映像情報とを１組として記録する記録工程とを備え、
前記ヘッダ情報は、特定の付加情報間の距離情報を含むことを特徴とする映像記録再生方法。
【請求項５】
前記映像情報はＪＰＥＧ圧縮データであり、前記付加情報はマーカセグメントであることを特徴とする請求項４記載の映像記録再生方法。
【請求項６】
前記ヘッダ組立工程において、所望の付加情報を追加するに際し、前記所望の付加情報のデータサイズを加えた新たな距離情報を含むヘッダ情報を生成することを特徴とする請求項４記載の映像記録再生方法。
【請求項７】
少なくとも映像情報と、前記映像情報に関する付加情報を含むヘッダ情報とが１組として記録されたディスクであって、
前記ヘッダ情報は、前記ヘッダ情報内の特定の付加情報間の距離情報を含むことを特徴とするディスク。
【請求項８】
前記映像情報はＪＰＥＧ圧縮データであり、前記付加情報はマーカセグメントであることを特徴とする請求項７記載のディスク。
【請求項９】
映像情報と、前記映像情報に関する付加情報を含むヘッダ情報とを記憶する記録媒体を用いた映像記録再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像記録再生装置。
【請求項１０】
ＤＣＦ基本ファイルを記録する記録手段を備え、
前記記録手段は、Ｅｘｉｆ付属情報を含むＡＰＰ１マーカセグメントと、特定のマーカセグメント間の距離情報を含むマーカセグメントとを記録媒体上の第１領域に記録し、ＤＣＦ基本主画像映像を前記記録媒体上の第２領域に記録することを特徴とする映像記録再生装置。
【請求項１１】
ＤＣＦ基本ファイルを記録する記録手段を備え、
前記記録手段は、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを記録媒体上の第１領域に記録し、ＤＣＦ基本主画像映像を前記記録媒体上の第２領城に記録することを特徴とする映像記録再生装置。
【請求項１２】
映像情報に関する付加情報を含むヘッダ情報を生成するヘッダ組立手段と、
少なくとも前記ヘッダ情報と前記映像情報とを１組として記録する記録手段と、
前記ヘッダ情報に関連した距離情報を記録する距離情報記録手段とを備え、
前記距離情報記録手段は、前記ヘッダ情報内の特定の付加情報間の距離情報を記録することを特徴とする映像記録再生装置。
【請求項１３】
映像情報、前記映像情報に関する付加情報を含むヘッダ情報および特定の前記付加情報間の距離情報を記憶する記録媒体を用いた映像記録再生装置であって、
映像情報の表示に必要な付加情報を取得するために前記ヘッダ情報を解析するヘッダ情報解析手段を備え、
前記ヘッダ情報解析手段は、前記距離情報を参照して関連する付加情報の解析をスキップすることを特徴とする映像記録再生装置。
【請求項１４】
ＪＰＥＧ圧縮データに関するＪＰＥＧヘッダデータを記録するヘッダ組立手段と、
少なくとも前記ＪＰＥＧ圧縮データと前記ＪＰＥＧヘッダデータとを組として記録する記録手段とを備え、
前記記録手段は、複数の前記組に渡ってＪＰＥＧヘッダデータに含まれるＥｘｉｆ付属情報およびＳＯＦマーカセグメントを記録媒体上の特定の領域にまとめて記録することを特徴とする映像記録再生装置。
【請求項１５】
ＪＰＥＧ圧縮データとＪＰＥＧヘッダデータとの組を記憶する記録媒体を用いた映像記録再生装置であって、
複数の組に渡って前記ＪＰＥＧヘッダデータに含まれる付加情報を検索する検索手段を備え、
前記記録媒体は、複数の前記組に渡って前記付加情報であるＥｘｉｆ付属情報およびＳＯＦマーカセグメントを記録媒体上の特定の領域にまとめて記憶し、
前記検索手段は、記録媒体上のＥｘｉｆ付属情報およびＳＯＦマーカセグメントをまとめて読出し検索することを特徴とする映像記録再生装置。
【請求項１６】
映像情報に関する付加情報を含むヘッダ情報を生成するヘッダ組立手段と、
前記ヘッダ情報と前記映像情報をＵＤＦファイルとして記録する記録手段とを備え、
前記記録手段は、前記ＵＤＦファイルに対応するファイルエントリと前記ヘッダ情報の一部または全部とを続けて記録することを特徴とする映像記録再生装置。
【請求項１７】
前記記録手段はさらにファイルエントリとヘッダ情報の一部または全部の組を複数のＵＤＦファイルに渡って記録媒体上の特定の領域にまとめて記録することを特徴とする請求項１６記載の映像記録再生装置。
【請求項１８】
前記映像情報はＪＰＥＧ圧縮データであり、前記ヘッダ情報はＪＰＥＧヘッダデータであり、前記記録手段は、前記ＵＤＦファイルに対応するファイルエントリと、前記ＪＰＥＧヘッダに含まれるＥｘｉｆ付属情報とを続けて記録することを特徴とする請求項１６記載の映像記録再生装置。
【請求項１９】
前記記録手段は、さらにＳＯＦマーカセグメントおよび／または特定のマーカセグメント間の距離情報を続けて記録することを特徴とする請求項１８記載の映像記録再生装置。
【請求項２０】
映像情報と前記映像情報に対する縮小画像を含むヘッダ情報との組をＵＤＦファイルとして記憶する記録媒体を用いた映像記録再生装置であって、
前記ヘッダ情報を解析して縮小画像を表示する縮小画像表示手段を備え、
前記記録媒体は、前記ＵＤＦファイルに対応するファイルエントリと前記ヘッダ情報の一部または全部とを続けて記憶し、
前記縮小画像表示手段は、前記ファイルエントリと前記ヘッダ情報を一度に読出し解析して表示を行うことを特徴とする映像記録再生装置。
【請求項２１】
ＤＣＦ基本ファイルを記録する記録手段を備え、
前記記録手段は、ＤＣＦ基本ファイルに対応するファイルエントリと、ＳＯＩマーカと、Ｅｘｉｆ付属情報を含むＡＰＰ１マーカセグメントおよび／またはＳＯＦマーカセグメントと、特定のマーカセグメント間の距離情報を含むマーカセグメントとを続けて記録媒体上の第１領域に記録し、ＤＣＦ基本主画像映像を前記記録媒体上の第２領域に記録することを特徴とする映像記録再生装置。
【請求項２２】
複数のマーカセグメントから構成されるＪＰＥＧファイルを記憶する記録手段を備え、前記記録手段は記録媒体の記録単位の境界と特定のマーカセグメントの記録開始位置が一致する様にＪＰＥＧファイルを記憶することを特徴とする映像記録再生装置。
【請求項２３】
複数のマーカセグメントから構成されるＪＰＥＧファイルを記憶する記録媒体を用いた映像記録再生装置であって、
ＪＰＥＧファイルの途中に所望のマーカセグメントを追加する追加記録手段を備え、
前記記録媒体は、記録単位の境界と特定のマーカセグメントの記録開始位置が一致するようにＪＰＥＧファイルを記憶し、
前記追加記録手段は、所望のマーカセグメントを追加記録し、さらに前記特定のマーカセグメントの前に前記所望のマーカセグメントが配置されるように前記記録単位の参照順を調整することを特徴とする映像記録再生装置。
【請求項２４】
前記特定のマーカセグメントはＳＯＦマーカセグメント、ＤＨＴマーカセグメント、またはＤＱＴマーカセグメントであることを特徴とする請求項２２または２３記載の映像記録再生装置。
【請求項２５】
ＤＣＦ基本ファイルを記録する記録手段を備え、
前記記録手段は、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生装置。
【請求項２６】
ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、その他のマーカセグメントと、ＤＣＦ基本主画像映像とを前記記録媒体上の第２領城に記憶する記録媒体を用いた映像記録再生装置であって、
ＤＣＦ碁本主画像を表示する映像表示手段と、
前記ＤＣＦ基本主画像の先頭位置を検出するために順次マーカセグメントを解析するヘッダ情報解析手段とを備え、
前記ヘッダ情報解析手段は前記距離情報を参照して関連するマーカセグメントの解析をスキップすることを特徴とする映像記録再生装置。
【請求項２７】
ＤＣＦ基本ファイルを記録媒体に記録する記録手段を備え、
前記記録手段は、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生装置。
【請求項２８】
映像情報と、前記映像情報に関する付加情報を含むヘッダ情報とが記憶された記録媒体を用いた映像再生装置であって、
前記映像情報の表示に必要な付加情報を取得するために前記ヘッダ情報を解析するヘッダ情報解析手段を備え、
前記ヘッダ情報は、特定の付加情報間の距離情報を含み、
前記ヘッダ情報解析手段は、前記距離情報を参照して関連する付加情報の解析をスキップすることを特徴とする映像再生装置。
【請求項２９】
映像情報と前記映像情報に対する縮小画像を含むヘッダ情報との組がＵＤＦファイルとして記憶された記録媒体を用いた映像再生装置であって、
前記ヘッダ情報を解析して縮小画像を表示する縮小画像表示手段を備え、
前記記録媒体には、前記ＵＤＦファイルに対応するファイルエントリと前記ヘッダ情報の一部または全部とが続けて記憶されており、
前記縮小画像表示手段は、前記ファイルエントリと前記ヘッダ情報を一度に読出し解析して表示を行うことを特徴とする映像再生装置。
【請求項３０】
複数の情報要素から構成される画像ファイルを記憶する記憶手段を備え、前記記憶手段は、記録媒体の記録単位の境界と前記画像ファイルの途中の情報要素の記録開始位置が一致するように、前記画像ファイルを記憶することを特徴とする映像記録再生装置。
【請求項３１】
ＤＣＦ基本ファイルを記録する記録手段を備え、
前記記録手段は、Ｅｘｉｆ付属情報を含むＡＰＰ１マーカセグメントと、特定のマーカセグメントのマーカおよびフィールド長とを記録媒体上の第１領域に記録し、ＤＣＦ基本主画像映像を前記記録媒体上の第２領域に記録し、前記特定のマーカセグメントの残りの部分を第３領域に記録することを特徴とする映像記録再生装置。
【請求項３２】
ＪＰＥＧ圧縮データと前記ＪＰＥＧ圧縮データに関するＪＰＥＧヘッダデータとを組として記録するとともに、複数の前記組に渡って前記ＪＰＥＧヘッダデータに含まれるＥｘｉｆ付属情報およびＳＯＦマーカセグメントを記録媒体上の特定の領域にまとめて記録することを特徴とする映像記録再生方法。
【請求項３３】
ＪＰＥＧ圧縮データと前記ＪＰＥＧ圧縮データに関するＪＰＥＧヘッダデータとの組を記録媒体に記憶するとともに、複数の前記組に渡って、前記ＪＰＥＧヘッダデータに含まれる付加情報であるＥｘｉｆ付属情報およびＳＯＦマーカセグメントを前記記録媒体上の特定の領域にまとめて記憶し、
前記記録媒体上のＥｘｉｆ付属情報およびＳＯＦマーカセグメントをまとめて読出し検索することを特徴とする映像記録再生方法。
【請求項３４】
複数のマーカセグメントから構成されるＪＰＥＧファイルを記録媒体に記憶する際に、前記記録媒体の記録単位の境界と特定のマーカセグメントの記録開始位置とを一致させることを特徴とする映像記録再生方法。
【請求項３５】
ＤＣＦ基本ファイルを記録する際に、ＳＯＩマーカと、Ｅｘｉｆ付属情報を含むＡＰＰ１マーカセグメントと、ＦｌａｓｈＰｉｘ関連情報を含むＡＰＰ２マーカセグメントの一部とを記録媒体上の第１領域に記録し、前記ＡＰＰ２マーカセグメントの残り部分と、特定のマーカセグメント間の距離情報を含むアプリケーションマーカセグメントと、ＤＣＦ基本主画像映像とを前記記録媒体上の第２領域に記録することを特徴とする映像記録再生方法。
【請求項３６】
ＤＣＦ基本ファイルを記録媒体に記録する際に、Ｅｘｉｆ付属情報を含むＡＰＰ１マーカセグメント全体を前記記録媒体上の第１領域に複数の前記ＤＣＦ基本ファイルに渡って記録し、ＤＣＦ基本主画像映像全体を前記記録媒体上の第２領域に複数の前記ＤＣＦ基本ファイルに渡って記録し、第１領域のデータサイズが記録単位の整数倍の可変長または固定長であることを特徴とする映像記録再生方法。
【請求項３７】
映像情報に関する付加情報を含むヘッダ情報を生成するヘッダ組立手段と、
少なくとも前記ヘッダ情報と前記映像情報とを１組として記録する記録手段とを備え、
前記ヘッダ組立手段は、所望の付加情報を追加するに際し、前記所望の付加情報を挟む特定の付加情報間の距離情報を前記ヘッダ情報内に生成することを特徴とする映像記録再生装置。
【請求項３８】
前記映像情報はＪＰＥＧ圧縮データであり、前記付加情報はマーカセグメントであることを特徴とする請求項３７記載の映像記録再生装置。
【国際調査報告】
2002023898.tif 000020
2002023898.tif 000021